(57)【要約】      （修正有）【課題】コンクリート型枠として用いられるケーシング要素の配送、保管等の管理を容易とするＲＦＩＤタグを備えた型枠を提供する。【解決手段】コンクリート型枠として用いるケーシング要素１０は、ケーシングフレーム１２と、ケーシングフレーム１２の少なくとも１つの開口部１６をまたがっているケーシングシェル１８とを含む。ＲＦＩＤタグ２０，２２は、ケーシングフレーム１２の開口部１６をまたがっているケーシングシェル１８の裏面の一部に、あるいは、範囲内に配置される。【選択図】図１
2012036717.tif 000002
【特許請求の範囲】
【請求項１】
ケーシングフレーム（１２）、
前記ケーシングフレーム（１２）の少なくとも１つの開口部（１６）をまたがっているケーシングシェル（１８）、および、
前記ケーシングフレーム（１２）の前記開口部（１６）をまたがっている前記ケーシングシェル（１８）の一部に、または、範囲内に取り付けられたＲＦＩＤタグ（２０、２２）、を含むこと、を特徴とする、ケーシング要素（１０）。
【請求項２】
前記ＲＦＩＤタグ（２０、２２）が、受信に関して最適化された態様に従って前記開口部（１６）上に配置されること、を特徴とする、請求項１に記載のケーシング要素。
【請求項３】
前記ＲＦＩＤタグ（２０、２２）が、ＵＨＦ周波数範囲のために実装されること、を特徴とする、請求項１または請求項２に記載のケーシング要素。
【請求項４】
前記同じ識別子を有するいくつかのＲＦＩＤタグ（２０、２２）が、前記ケーシングフレーム（１２）の１つまたはいくつかの開口部（１６）をまたがっている前記ケーシングシェル（１８）の部分に、または、範囲内に形成されること、を特徴とする、請求項１〜請求項３のうちの１つに記載のケーシング要素。
【請求項５】
前記ケーシングフレーム（１２）が、外側および内側の開口部を含む複数の開口部（１６）を含むことを特徴とし、少なくとも１つのＲＦＩＤタグ（２０、２２）は、内側の開口部をまたがっている前記ケーシングシェル（１８）の一部に、または、範囲内に配置されること、を特徴とする、請求項１〜請求項４のうちの１つに記載のケーシング要素。
【請求項６】
前記ケーシングシェル（１８）を交換できること、を特徴とする、請求項１〜請求項５のうちの１つに記載のケーシング要素。
【請求項７】
識別子をケーシング要素（１０）に割り当てるための装置であって、
フレーム識別子およびカレントケーシングシェル識別子が複数のケーシング要素（１０）の各々に対して記憶されるメモリ（５４）を含み、
前記装置は、ケーシングシェル要素（１０）の前記ケーシングシェル（１８）が交換されるときに、前記カレントケーシングシェル識別子を新しいカレントケーシングシェル識別子と交換するために実装されること、を特徴とする、装置。
【請求項８】
交換されるケーシングシェルからケーシングシェル識別子を受け取り、前記メモリにアクセスすることにより前記割り当てられたケーシング要素を識別し、新しいケーシングシェルのケーシングシェル識別子を受け取り、そして、前記識別されたケーシング要素の前記カレントケーシングシェル識別子を前記新しいケーシングシェル識別子と交換するために実装される、請求項７に記載の装置。
【請求項９】
前記メモリが、前記ケーシング要素の前記使用に関してデータを記憶するために更に実装されること、を特徴とする、請求項７または請求項８に記載の装置。
【請求項１０】
識別子をケーシング要素に割り当てるための方法であって、
フレーム識別子およびカレントケーシングシェル識別子を複数のケーシング要素の各々に対してメモリに記憶するステップ、および、
ケーシング要素の前記ケーシングシェルが交換されるとき、前記カレントケーシングシェル識別子を新しいカレントケーシングシェル識別子と交換するステップ、を含むこと、を特徴とする、方法。
【請求項１１】
コンピュータ・プログラム製品がコンピュータ上で動作するとき、請求項１０に記載の方法を実行するのに効率的であるプログラムコードを有する前記コンピュータ・プログラム製品。
【発明の詳細な説明】
【技術分野】
【０００１】
本発明は、割り当てられた識別子を有するケーシング要素、および、識別子をケーシング要素に割り当てるための装置と方法に関する。
【背景技術】
【０００２】
設置型の産業とは対照的に、建設部門は、ほとんどの場合、後の使用の位置で、生み出される、すなわち構築される固定された製品を取扱う。プロジェクト特有の製造フローは、管理されなければならず、通常、特定のプロジェクトまたは建設に適用できるだけである。対応して柔軟な方法で、ケーシング要素、すなわち、建設ケーシングなどのリソースは、特定のプロジェクトまたは建設現場に割り当てられる。
【０００３】
例えば個々の部品の膨大さおよび多様さ、同時に、困難な識別性のため、ケーシング要素などの建設装置は、管理するのに費用がかかる。そこにおいて、複数のケーシング部品は、大きな建設現場で、および、小さなプロジェクトにおいて使用される。
【０００４】
ケーシング要素は、液体のコンクリートなどの現場コンクリートをライニングするのに使用される。ここで、ケーシング要素は、後に液体のコンクリートで満たされるであろう穴をシールするのに役立つ。このことにより、特別に製造されたケーシングあるいは標準ケーシング要素は、使用できる。標準ケーシングは、スチールフレーム、および、プラスチックまたは木のコーティング、すなわちケーシングシェルから成る。標準ケーシングは、保管場所に返されて、新たな使用に備える。
【０００５】
高い投入経費のため、建設請負人は一般に限られた数の建設装置を保持するだけである。そこにおいて、会社の作業負荷に応じて、建設装置は加えて、特定のプロジェクトのために賃借される。すべてのリソースの様に、建設装置もまた、中央計画される。そこにおいて、計画により賃借された建設装置および会社に属している建設装置は建設現場に配送される。そこで、それらは、使用され、後に賃借人または会社の保管場所に戻される。自分の建設装置と賃借された建設装置との間の識別を可能にするために、ケーシング要素などの建設装置のための自動識別を供給することが知られている。
【０００６】
ケーシング要素を識別することが可能であるために、２つの解決策が、ＲＦＩＤ技術の分野において、現在試験または適用される。会社パーシャル（Ｐａｓｃｈａｌ）、ケーシング賃借業者は、高周波数のＲＦＩＤタグを用いたＲＦＩＤ解決案を開発して、ケーシングの金属フレームの内側にそれを取り付ける。この解決策は、ドイツ国特許出願公開明細書ＤＥ―１０２００７００８３０３―Ａ１において説明される。しかし、そこに記載された解決策の不利な点は、使用された技術の低範囲のため、ＲＦＩＤタグを読み出すことが非常に短い距離からしか可能でないことである。このように、積み重ねたものの検出が、有意な潜在的利点として起こりえない。このことにより、記載されている技術は、建設現場での非常に興味深い処理であるというよりは、むしろ保管場所における処理をサポートする。
【０００７】
ＲＦＩＤ技術を使用することの別の解決策は、スロットアンテナを用いたＵＨＦタグを付けることである。この技術は、金属フレームにおいて小さなギャップを必要とし、かなりの距離からタグを読み出すことを可能にする。この種の使用の付加機能は、ミュンヘンの技術大学における調査プロジェクトＦｏｒＢａｕおよびヴッペルタール大学におけるＡＲＧＥ  ＲＦＩＤにおいて現在調査される。しかし、ケーシングフレームにスロットを取り付けるときに、静的調整に関する問題のためというだけでなく、スロットアンテナの限られた動作のため、ここで、限られた積み重ねたものの検出しか可能ではない。
【０００８】
両方の説明されたＲＦＩＤアプローチは加えて、重要な経済的な疑問を引き起こす。というのは、ケーシング要素の現存の在庫を改造する問題が不明なままだからである。ＨＦ技術を使用するとき、そして、スロットアンテナを有するタグを取り付けるときの両方のときに、ケーシングフレームのマニピュレーションは必要である。このように、現存のケーシングの在庫を改造することは、経済的な考慮の観点から困難である。それは、建設請負人が、すなわち識別を有するおよび識別を有さないケーシングの在庫をパラレルにする傾向になければならないだろうという影響を有し、それはほとんど受け入れられない解決策である。
【発明の概要】
【発明が解決しようとする課題】
【０００９】
ケーシング要素、および、積み重ねたものにおいてもケーシング要素の識別を可能にする装置および方法を供給することが、本発明の目的である。
【課題を解決するための手段】
【００１０】
この目的は、請求項１に記載のケーシング要素、請求項７に記載の装置、および、請求項１０に記載の方法によって解決される。
【００１１】
本発明の実施形態は、以下を含むケーシング要素を供給する。
ケーシングフレーム、
ケーシングフレームの少なくとも１つの開口部をまたがっているケーシングシェル、
ケーシングフレームの開口部をまたがっているケーシングシェルの一部に、あるいは、範囲内に取り付けたＲＦＩＤタグ。
【００１２】
本発明の実施形態は、識別子をケーシング要素に割り当てるための装置を供給し、それは、自由に入手できるメモリだけでなく、フレーム識別子およびカレントケーシングシェル識別子が複数のケーシング要素の各々に対して記憶されるメモリを含む。そこにおいて、その装置は、ケーシング要素のケーシングシェルが交換されるときに、新しいカレントケーシングシェル識別子とカレントケーシングシェル識別子を交換するように実装される。
【００１３】
本発明の実施形態は、識別子をケーシング要素に割り当てるための方法を供給し、それは、複数のケーシング要素の各々に対してフレーム識別子およびカレントケーシングシェル識別子をメモリに記憶するステップ、および、ケーシング要素のケーシングシェルが交換されるときに、新しいカレントケーシングシェル識別子とカレントケーシングシェル識別子を交換するステップを含む。
【００１４】
本発明の実施形態において、ＲＦＩＤタグは、ＵＨＦ―ＲＦＩＤタグである。ＵＨＦ―ＲＦＩＤ技術は、基本的に、同時にいくつかのタグの検出を可能にし、それ故、カウント処理をサポートする。加えて、ＵＨＦを用いれば、かなりの距離から読み出すことは可能であり、そのことは、建設現場での処理を大幅に単純化する。同様に、保管場所における使用は、可能である。
【００１５】
このように、本発明の実施形態は、ケーシング要素の自動識別を可能にし、それは、例えば、自身のケーシングと賃借したケーシングの識別を大幅に単純化し、手でする労力を省く。異なる建設現場でのケーシング要素の柔軟で移動性のある使用をはるかに効率的に実行できるように、本発明の実施形態は、連続的な在庫管理を可能にする。このように、本発明の実施形態は、ケーシング要素の現在の在庫および使用の現在の場所についての情報を与え、それは、ケーシング要素の急送を容易にする。
【００１６】
本発明によって、ＲＦＩＤタグは、標準ケーシング要素でありうるケーシング要素のケーシングフレームに取り付けられないが、ケーシングフレームの少なくとも１つの開口部をまたがっているケーシングシェルに、または、範囲内に取り付けられる。これは、ケーシング要素を識別するためのＵＨＦ技術の使用を可能にする。ＲＦＩＤタグをそれぞれ取り付けることで、通常金属のフレーム、例えば測定におけるケーシング要素の大きくて重いスチールフレームの憂慮すべき影響は、低減され、そうすると、また、積み重ねられたケーシング要素の識別も可能である。このように、本発明の実施形態は、積み重ねて配置されたケーシング要素の検出を可能にし、そのことは、建設現場にケーシングを運ぶとき、および、保管場所への返送前の両方で、ケーシング要素をカウントすることおよび識別することを可能にする。このように、ケーシング要素は、完全性のために点検できる。これは、手でするカウントと比較して、手間の削減を可能にし、さらに、エラーの多発性を極めて削減する。このように、本発明の実施形態は、建設現場と保管場所の両方におけるケーシングの流出と流入の完全な文書化を可能にし、そのことは、ケーシング要素のロスの有効な低減につながることができる。
【００１７】
通常、標準ケーシング要素は何回か使用した後、オーバーホールされる。そこにおいて、例えば、木のケーシングシェルまたはプラスチックのケーシングシェルは交換される。急送のため、ケーシング要素の状態は、必ずしも明白ではない、あるいは、さらなる労力を持ってしか、例えば、保管場所に行くことによって、あるいは、建設現場に電話することによってしか明白ではない。本発明の実施形態は、ケーシングのライフサイクルの文書化、メンテナンス記録および／または個々の要素に関する状態情報が利用できるように、ケーシング要素の使用に関するデータの保管を可能にし、メンテナンス作業の単純な構成が可能となる。
【００１８】
このように、本発明の実施形態は、ケーシング要素において、特に標準ケーシングにおいて、ＲＦＩＤ技術の使用を可能にし、そのことは、手動動作の有意な削減、処理におけるエラーの回避、保管の透明性の増加、ロスの回避だけでなく、リソース使用の増加を可能にする。
【００１９】
本発明の好ましい実施形態について、添付図面を参照に後述する。
【図面の簡単な説明】
【００２０】
【図１】図１は、本発明の一実施形態によるケーシング要素の概略斜視図である。
【図２】図２は、ケーシング要素のスタックの識別子を検出するための装置の略図である。
【図３】図３は、識別子をケーシング要素に割り当てるための装置の実施形態である。
【発明を実施するための形態】
【００２１】
用語「ＲＦＩＤタグ」は、その一般的な意味で、ここで使用される。本発明の実施形態において、ＲＦＩＤタグは、マイクロチップ、アンテナ、および、ＲＦＩＤタグがその物体に、または、範囲内に取り付けられる運搬容器またはハウジング、すなわち、ケーシング要素を含む。本発明の実施形態において、トランスポンダは、受動トランスポンダである。
【００２２】
ＲＦＩＤタグが読み出し装置のアンテナの読み出し領域に達するときに、ＲＦＩＤタグに記憶された識別子を読み出すことができる。本発明の実施形態において、ＲＦＩＤタグは、ＵＨＦ範囲の周波数用に設計されたＵＨＦ  ＲＦＩＤタグである。ここで、ＵＨＦ範囲は、約０．３ＧＨｚから３ＧＨｚまでの周波数バンドを意味し、そこにおいて、標準ＲＦＩＤタグは、例えば、ヨーロッパでは４３３ＭＨｚおよび８６８ＭＨｚ、ＵＳＡでは９１５ＭＨｚ、そして、日本では９５０ＭＨｚという典型的周波数で動作する。
【００２３】
発明のケーシング要素１０の実施形態は、図１に示される。ケーシング要素１０は、標準ケーシング要素の形状および寸法を有することができる。標準ケーシング要素の典型的な寸法は、５４×１４×１２０ｃｍまたは６４×１４×１２０ｃｍである。ケーシング要素１０は、例えば、スチールなどの金属からなるケーシングフレーム１２を含む。ケーシングフレーム１２は、４つの開口部１６がケーシングフレーム１２で形成されるように横のブレーシング１４を含む。これらの開口部１６をケーシングシェル１８はまたがる。そして、それは、図１のイラストのプラスチックフレーム１２の後ろ側に付けられる。ケーシングシェル１８は、例えば、プラスチック板、複合板または木の板によって形成できる。その範囲において、図１に示されたケーシング要素は、標準ケーシング要素に対応する。
【００２４】
2012036717.tif 000003
【００２５】
２つのＲＦＩＤタグを有するケーシング要素が図１に示される一方で、より少ないまたはより多くのＲＦＩＤタグが供給できることは当業者にとって明らかである。そこにおいて、また、当業者にとって明らかな様に、より多くのＲＦＩＤタグは、正常に読み出す確率にプラスの効果を及ぼすことができる。
【００２６】
ＲＦＩＤタグは、水平にケーシング要素を積み重ねるときに読み出し装置によってＲＦＩＤタグを読み出すことが可能であるように配置される。というのは、更なるケーシングシェルは各ＲＦＩＤタグと読み出し装置との間に配置されるが、読み出しに使用された放射線または電波に対して伝達可能でないケーシングフレームではないためである。
【００２７】
１０個の積み重なったケーシング要素１０の積み重ねたものが図２に示される。そこにおいて、同じまたは等しい要素は同じ参照番号を供給される。図２に示されたケーシング要素において、ＲＦＩＤタグは、それぞれ、影付きの開口部１６をまたがっているケーシングシェル１８の領域に配置される。図２において、ケーシング要素１０のスタックは、読み出し装置３０のアンテナ３２と３４との間に配置される。読み出し装置は、例えば、ＳＩＲＩＴ  Ｉｎｆｉｎｉｔｙ５１０という名で利用可能なＲＦＩＤリーダでありうる。そこにおいて、アンテナ３２および３４は会社ＷＩＭＯのパッチアンテナでありうる。
【００２８】
図示された構成を用いた測定は、各スタックの全てのケーシング要素１０を検出できることを示した。これらの測定は、特にそのスタックがダイナミックにアンテナ３２と３４との間を通過するときに、全てのケーシング要素を検出することが可能であったことを示した。このように、本発明の実施形態において、読み出し装置は、ケーシング要素の積み重ねたものを通過することを可能にするように対応して実行できる。そこにおいて、上部および下部アンテナ３２、３４は、そのスタックの上部または下部までの適当な距離に配置される。
【００２９】
少数のケーシング要素を有するスタックを検出するために、そのスタックの一面だけにアンテナを供給することも十分でありうる。水平に配置されたケーシング要素の場合、アンテナ３２、３４は、スタックの下および／または上に供給される。互いのそばに立っているように配置されたケーシング要素の積み重ねたものに関して、アンテナはまた、読み出しに必要な放射線が、複数のケーシング要素のケーシングシェルを貫通することができるように積み重ねたもののそばの一方または両側に配置できる。図２に示した実施形態において、側面からの測定は可能でない。というのは、ケーシング要素の大きくて重いスチールフレームは電波で貫通できないためである。
【００３０】
述べられた試験測定は、水平なスタックの一面に２つのアンテナを有する静的測定に関して、読み出しが６つのケーシング要素の積み重ねた高さまで実行できることを示した。アンテナを水平なスタックの各面に配置するとき、静的測定の可読性は結果として増加した。静的測定は、より中央に配置されたＲＦＩＤタグがより良く読み出せることを示す。ケーシング要素のスタックがアンテナを通過した動的測定は、検出率が動的測定により、改善できたことを示した。特に、動的測定を用いることにより、更に外側に配置されたＲＦＩＤタグも、より良く検出できた。上部および下部のアンテナのアンテナゲートを介して、説明された種類の１０個のケーシング要素のスタックの通過の間に、全てのケーシング要素が検出できたことが示された。このことにより、アンテナは、スタックの上部または下部の端から２０ｃｍの距離に配置された。アンテナ距離を増加させることは、より中央に配置されたＲＦＩＤタグが、依然として読み出すことができることを示したが、ここで、外側に配置されたＲＦＩＤタグの検出率は、より速く減少した。
【００３１】
本発明の実施形態において、ケーシングフレームは、外側のおよび内側の開口部を含んでいる複数の開口部を含む。そこにおいて、ＲＦＩＤタグまたは複数のＲＦＩＤタグのうちの１つは、内側の開口部をまたがっているケーシングシェルの一部に、または、範囲内に配置される。
【００３２】
要約すると、実行された試験測定が、本発明の実施形態がＲＦＩＤ技術によって積み重ねた複数のケーシング要素の識別を可能とすることを示したと述べられなければならない。本発明の実施形態は、積み重ねたケーシング要素配列のアイデンティティを検出するための方法に関する。そこにおいて、その積み重ねたものは、動かせないまたは移動性のある読み出し装置の読み出し領域を通してダイナミックに動かされる。ケーシング構造におけるケーシング要素のアイデンティティを検出することも可能である。そこにおいて、移動可能な読み出し装置は、ダイナミックな読み出しフィールドを生成するためのケーシング構造に沿って動かされる。実施形態において、あらゆるケーシング要素は、検出信頼性を増加するためにいくつかのＲＦＩＤタグを供給される。
【００３３】
本発明の実施形態において、ＲＦＩＤタグは、ケーシング要素のケーシングシェルに取り付けられる。通常、標準ケーシングのケーシングシェルは、定期的に交換される。このように、連続的な在庫管理および急送を可能にするために、本発明の実施形態は、ケーシングシェルを交換するときでさえも連続的な識別を可能にする、識別子をケーシング要素に割り当てる装置および方法を供給する。この種の装置の実施形態は、フレーム識別子および少なくとも１つのカレントケーシングシェル識別子が複数のケーシング要素の各々に対して記憶されるメモリを含む。
【００３４】
装置は、ケーシング要素のケーシングシェルが交換されるときに、新しいカレントケーシングシェル識別子とカレントケーシングシェル識別子を交換するように実行される。この種の装置の実施形態は、図式的に図３に示される。装置は、メモリ５４と連結した読み出し装置５２と連結したアンテナ５０を含む。メモリ５４は、例えば、連続的な在庫管理およびケーシング要素の急送のために使用された従来のコンピュータのメモリでありうる。
【００３５】
本発明の実施形態において、ケーシングシェルは、異なる識別子を有するいくつかのＲＦＩＤタグを含むことができる。このような場合、複数のケーシングシェル識別子は、記憶され、割り当てられたケーシング要素のためにそれぞれ交換できる。
【００３６】
ケーシング要素１０のケーシングシェル１８が交換される場合、読み出し装置５２が割り当てられたケーシングシェル識別子を検出するように、交換されるケーシングシェル（すなわち、古いもの）は、アンテナ５０の読み出し領域に持ってこられる。それに基づいて、メモリのケーシング要素は、識別できる。その後、新しいケーシングシェルは、アンテナ５０の読み出し領域に持ってこられる。そうすると、読み出し装置５２が新しいケーシングシェルのケーシングシェル識別子を検出し、メモリの新しいケーシングシェルのケーシングシェル識別子と、識別されたケーシング要素に割り当てられたケーシングシェル識別子を交換する。
【００３７】
このように、いわば、仮想アイデンティティは、メモリ５４のケーシングフレームに割り当てられる。そこにおいて、カレントケーシングシェルのケーシングシェル識別子は、ケーシングフレームのこの仮想アイデンティティに割り当てられる。メモリのケーシングシェル識別子（ＩＤｓ）の動作記録を記憶することもまた可能である。ここにおいて、最後の、すなわち、カレントケーシングシェル識別子は、ケーシングＩＤの代表である。ケーシング要素に割り当てられたこのケーシングシェル識別子によって、ケーシング要素は、識別できる。
【００３８】
本発明の実施形態において、メモリは、ケーシング要素に割り当てられたデータセットにおいて、ケーシング要素に割り当てられたケーシングシェル識別子の動作記録を記憶するように実行できる。実施形態において、メモリはケーシング要素のメンテナンス動作記録および／または状態情報をデータセットに記憶するように更に実行できる。そうすると、この種の記憶データに基づいて、ケーシングシェルの交換は始動できる、または、実行できる。
【００３９】
このように、本発明の実施形態において、それらが、例えば、メモリ５４に記憶されるとき、ケーシングシェルの交換は割り当てられたシステムのデータセットによって同期させられる。
【００４０】
本発明の実施形態は、ケーシングシェルを変えるときに、対応して割り当てられたデータセットをアップデートするように識別子をケーシング要素に割り当てるための装置に命令するための各ソフトウェアに関する。
【００４１】
このように、本発明の実施形態は、ケーシングシェルに取り付けられたＩＤ番号などの識別子を介して、ケーシング要素または標準ケーシングの識別を提供する。そこにおいて、ケーシングへのシステムのデータセットの一意な割り当ては、フレーム識別子およびケーシングシェル識別子を各データセットにおいてケーシングに割り当てることによって確実にできる。
【００４２】
このように、本発明によって、ケーシングフレームではなく、ケーシングシェルがＲＦＩＤタグで識別される。これは、一方で、積み重ねて配置された複数のケーシング要素を検出することを可能にする。他方で、ケーシングシェルが通常定期的に（だいたい１０回目のアプリケーションごとに）交換されなければならないので、これは、都合よく改造の問題を解決する。このように、ＲＦＩＤタグを供給されたケーシングシェルを使用することにより、例えば１〜２年以内に、ケーシングの全部の在庫をＲＦＩＤ技術に変換することは可能である。これは大幅な手動労力を生じさせない。ケーシングシェルにＲＦＩＤタグを備え付けるための追加の労力はまた、約０．１２ユーロのＲＦＩＤタグごとの価格で、制限される。
【００４３】
特定の実現要求に応じて、本発明の実施形態は、ハードウェアにおいて、または、ソフトウェアにおいて実行できる。例えば、読み出し装置３０、３２およびメモリ５４は、連続的な在庫管理および急送のシステムの一部でありうる。
【００４４】
通常、本発明の実施形態はまた、プログラムコードを有するコンピュータ・プログラム製品として実行もできる。そこにおいて、コンピュータ・プログラム製品がコンピュータ上で動作するときに、プログラムコードは本発明による方法を実行するのに効果的である。プログラムコードは、例えば、フロッピー（登録商標）ディスク、ＤＶＤ、ブルーレイ・ディスク、ＣＤ、ＲＯＭまたはＰＲＯＭのようなＥＰＲＯＭ、ＥＥＰＲＯＭまたはＦＬＡＳＨメモリ、ハードディスクまたは他の磁気または光メモリなどの機械で読み取り可能なキャリアに記憶できる。この種のコンピュータ・プログラム製品は、コンピュータに発明の方法の実施形態を実行するように、すなわち、複数のケーシング要素の各々に対してフレーム識別子およびカレントケーシングシェル識別子を記憶するように命令できる。そこにおいて、ケーシングシェルを交換するときに、カレントケーシングシェル識別子は新しいケーシングシェルのケーシングシェル識別子と交換される。
【符号の説明】
【００４５】
１０  ケーシング要素
１２  ケーシングフレーム
１４  横のブレーシング
１６  開口部
１８  ケーシングシェル
２０、２２  ＲＦＩＤタグ
３０  読み出し装置
３２、３４  アンテナ
５０  アンテナ
５２  読み出し装置
５４  メモリ
【図１】
2012036717.tif 000004
【図２】
2012036717.tif 000005
【図３】
2012036717.tif 000006
【外国語明細書】
2012036717000001.pdf
2012036717000002.pdf
2012036717000003.pdf
2012036717000004.pdf